(57)【要約】【課題】安定性を確保しながら背部が体に食い込むことによる段差の発生を防ぎ、外衣より目立ちにくいバスト用衣類を提供する。【解決手段】本発明の一形態にかかるバスト用衣類は、着用者の胸部に配される第１サポート部と、前記第１サポート部の両側部にそれぞれ接続され前記着用者の体の側部から背中に至る第２サポート部と、伸縮性を有し、その上部が前記第２サポート部に接合される伸縮テープと、を備えることを特徴とする。【選択図】図１
2017186697.tif 000002
【特許請求の範囲】
【請求項１】
着用者の胸部に配される第１サポート部と、
前記第１サポート部の両側部にそれぞれ接続され前記着用者の体の側部から背中に至る第２サポート部と、
伸縮性を有し、その上部が前記第２サポート部に接合される伸縮テープと、を備えることを特徴とするバスト用衣類。
【請求項２】
前記第１サポート部は、一対のカップ部を備え、
前記第２サポート部は前記一対のカップ部の外側端に連続して背部を構成するベルトを備え、
前記伸縮テープは、長手方向の両端及び上縁において、前記ベルトに接合され、その下縁が自由端である、請求項１に記載のバスト用衣類。
【請求項３】
前記伸縮テープは、幅寸法が１５ｍｍ以上３５ｍｍ以下である請求項２に記載のバスト用衣類。
【請求項４】
前記伸縮テープの下縁の表側は、前記第２サポート部を構成する表布で覆われる、請求項１乃至３のいずれか１項に記載のバスト用衣類。
【請求項５】
前記ベルトは、前記ベルトのカップ側の上部を構成する第１パーツ片と、前記ベルトのバックセンター側の下部を構成する第２パーツ片と、を備え、前記第１パーツ片と前記第２パーツ片とはカップ側からバックセンター側に向けて上方に変位するように傾斜する連結ラインにおいて接合される、請求項２乃至４のいずれか１項に記載のバスト用衣類。
【請求項６】
前記第１パーツ片の上縁は生地が折り返され、折り返された上辺においてはテープ加工及び縫合処理されていない構造であることを特徴とする請求項５に記載のバスト用衣類。
【請求項７】
前記伸縮テープの荷重０．２５ｋｇｆ付加時の伸長率は、３０％以上５５％以下である、請求項１乃至請求項６のいずれか１項に記載のバスト用衣類。
【発明の詳細な説明】
【技術分野】
【０００１】
本発明は、バスト用衣類に関する。
【背景技術】
【０００２】
女性のバストに装着するブラジャーなどのバスト用衣類において、胸部を覆う一対のカップ部と、各カップ部の側縁に接続され背中に至る一対のベルトと、各カップ部の上部から肩を通って背中に至り各ベルトに接続されるショルダーストラップと、を備える構成が知られている。このようなバスト用衣類において、一般的に、背部を構成するベルトの上下縁にそれぞれ伸縮テープを配するものが知られている。また、一枚生地で背部が形成出来るヘム生地や縁始末不要生地が背部に用いられることもある（例えば、特許文献１参照）。
【先行技術文献】
【特許文献】
【０００３】
【特許文献１】特開２００７−１２６７９１号公報
【発明の概要】
【発明が解決しようとする課題】
【０００４】
背部の上下の縁にテープを配する場合、テープ圧が強く肌に食い込み易く、テープ配置箇所において段差が生じ易い。一方で、ヘム生地や縁始末不要生地で背部が構成される場合には背部全体の安定性が低く、位置ずれが生じ易い。
このため、安定性を確保しながら背部が体に食い込むことによるボディラインの段差の発生を防ぐことが可能なバスト用衣類が望まれる。
【課題を解決するための手段】
【０００５】
本発明の一形態にかかるバスト用衣類は、着用者の胸部に配される第１サポート部と、前記第１サポート部の両側部にそれぞれ接続され前記着用者の体の側部から背中に至る第２サポート部と、伸縮性を有し、その上部が前記第２サポート部に接合される伸縮テープと、を備えることを特徴とする。
【発明の効果】
【０００６】
本発明の一形態によれば、安定性を確保しながら背部が体に食い込むことによる段差の発生を防ぎ、段差が発生しても外衣から目立ちにくいバスト用衣類を提供することが可能となる。
【図面の簡単な説明】
【０００７】
【図１】第１実施形態にかかるブラジャーの構成を示す正面図。
【図２】同ブラジャーの構成を示す背面図。
【図３】同ブラジャーの着用状態を斜め後方から見た図。
【図４】同ブラジャーの構成を示す説明図。
【図５】同ブラジャーの伸縮テープの一例及び比較例にかかるテープの引っ張り試験における試験力とストロークの関係を示すグラフ。
【発明を実施するための形態】
【０００８】
以下、本発明の第１実施形態にかかるバスト用衣類の一例としてのブラジャー１について図１乃至図５を参照して説明する。図１は本実施形態に係るブラジャー１を表面側から見た説明図であり、図２は裏面側から見た説明図である。図３はブラジャー１の着用状態を斜め後方から見た図であり、図４はブラジャー１の断面の状態を示す説明図である。図５は同ブラジャーの伸縮テープ４１の一例及び比較例にかかるテープの引っ張り試験における試験力とストロークの関係を示すグラフである。
【０００９】
本実施形態において、上下前後左右等の方向は、図３に示すように、ブラジャー１を着用した立位状態の着用者１００を基準としてそれぞれ示している。また本実施形態において第１方向は胸囲方向に沿う横方向であり、第２方向は第１方向に直交する縦方向である。例えば図１及び図２においては第１方向に沿うベルト２０が左右に延びる配置となっているが、図３に示す着用状態においては胸囲方向に沿って湾曲して配される。
【００１０】
図１乃至図４に示すように、バスト用衣類であるブラジャー１は、着用者１００の胸部１０１に配される一対のカップ部１１を有する第１サポート部１０Ａと、第１サポート部１０Ａの両側部に接続され着用者１００の脇下の側部１０２から背中１０３に回ってバックセンター１０３ａに至る第２サポート部２０Ａと、第１サポート部１０Ａの一対のカップ部１１の上部に接続され着用者１００の肩部１０４の上から背中１０３側に回って第２サポート部２０Ａに連結される第３サポート部３０Ａと、を備える。
【００１１】
第１サポート部１０Ａは、センター部１０ａで連結された左右一対のカップ部１１と、各カップ部１１の下側に配された左右一対のベース部１２と、を備える。
【００１２】
各カップ部１１は、胸部１０１の一対の乳房にそれぞれ対応し、着用時に各乳房を覆うように配置される。一対のカップ部１１は左右に並列して配置されている。一対のカップ部１１はバストセンターに配されるセンター部１０ａで連結されている。
【００１３】
一対のカップ部１１は、それぞれ、下方に凸となるカーブを呈する下カップ縁１１ａと、センター部１０ａから湾曲して斜め上に延び上端に至る内カップ縁１１ｂと、下カップ縁１１ａの外側端から湾曲してセンター側に向かって上方に斜めに延びて上端部に至る外カップ縁１１ｃと、を有している。
【００１４】
カップ部１１は、複数のパーツが縫着されて構成される。例えばカップ部１１の縁部分や下部領域に、金属ワイヤーまたは樹脂プレートからなるサポート材が配置されている。例えば本実施形態においてはサポート材として、カップの下カップ縁１１ａに沿って金属ワイヤーが配されている。カップ部１１は例えば裏面側に別体のパッドを収納可能なポケットを有し、あるいはクッション材と一体化されて構成される。
【００１５】
一対のベース部１２は、カップ部１１の下カップ縁１１ａに縫合された帯片であり、図１に示すように、カップ部１１の下側において、所定の第１方向に延びている。一対のベース部１２の端部同士がセンター部１０ａで縫合により接続されている。
【００１６】
第２サポート部２０Ａは、着用者の背中１０３部位に配されるいわゆる背部であり、第１サポート部１０Ａの外側縁にそれぞれ接続されバックセンター１０３ａで互いに連結されて繋がる一対のベルト２０を備える。
【００１７】
一対のカップ部１１の下カップ縁１１ａ及びベース部１２の外側縁で構成される第１サポート部１０Ａの両端縁に、一対のベルト２０がそれぞれ接続されている。
【００１８】
各ベルト２０は、伸縮性の異なる複数のパーツが接合されて構成されている。ベルト２０は、脇片である第１パーツ片２１と、背部片である第２パーツ片２２とが、後ろ上がりとなる連結ラインＳ１で互いに接合された切替え部材で構成されている。一対のベルト２０の端部は互いに連結されるバック連結部２０ｂを構成し、それぞれバック連結具２３ａ，２３ｂを備える。
【００１９】
第１パーツ片２１の外形は、カップ部１１の湾曲した外縁に接続される第１内側湾曲辺２１ａと、ベース部１２の傾斜した外縁に接続される第１内側傾斜辺２１ｂと、ベルト２０の上縁の一部を構成する第１上辺２１ｃと、カップ部１１から遠い方が上に位置するように傾斜する第１傾斜辺２１ｄと、で囲まれた形状であり、第１パーツ片２１外側端縁の外形はカップ部１１側に開くＶ字状に構成されている。
【００２０】
図４に示すように、第１パーツ片２１は例えばパワーネット等の生地が、第１上辺２１ｃで折り返されて２重構造に構成され、所定形状にカットされている。したがって、第１上辺２１ｃにおいては縫合不要に構成されている。第１パーツ片２１は、第１上辺２１ｃの大部分あるいは全長において、テープや縫合による加工がなされていない。
【００２１】
第２パーツ片２２の外形は、ベース部１２の下縁に連続してベルト２０の下縁を構成する第２下縁２２ａと、ベース部１２の外縁に接続される第２内側傾斜辺２２ｂと、連結ラインＳ１に沿いショルダー連結部２０ｃの近傍に至る第２傾斜辺２２ｃと、ショルダー連結部２０ｃから斜め下方のバック連結部２０ｂに至る第２外側傾斜辺２２ｄと、バック連結具２３ｂ，２３ｃの端縁に接続される第２外側辺２２ｅで囲まれる形状に構成されている。
【００２２】
一対のベルト２０の、第２パーツ片２２第２下辺２２ａの先端であるバック連結部２０ｂには、装着時に背中１０３において互いに連結されるバック連結具２３ａ，２３ｂがそれぞれ設けられている。
【００２３】
第２パーツ片２２は、第１パーツ片２１の第１傾斜辺に接合されている。
【００２４】
第２パーツ片２２は、連結ラインＳ１の先方の上端部であるショルダー連結部２０ｃにおいて、ショルダー連結具２５を介して、第３サポート部３０Ａに連結される。
【００２５】
連結ラインＳ１は、第１方向に沿うベルト２０の下縁２０ａに対して、１５度以上６０度以下の範囲で傾斜している。連結ラインＳ１はセンター部１０ａ側からバックセンター１０３ａ側に向けて上方に変位するように傾斜する。連結ラインＳ１において、第１パーツ片２１及び第２パーツ片２２が例えば縫合により連結されている。したがって、連結ラインＳ１は、第１パーツ片２１と第２パーツ片２２の境界線を構成している。
【００２６】
図３に示すように、着用状態において、連結ラインＳ１すなわち第１パーツ片２１と第２パーツ片２２の境界線は、着用者１００の側方から見ると後ろ上がりに傾斜し、背面側からみると左右の側部１０２からバック連結部２０ｂに向かって上方に斜めに延びている。
【００２７】
図３に断面図の構成を示すように、第２パーツ片２２は、例えばパワーネット等の伸縮性の高い裏布２６と、メイン生地の表側に積層されるレース生地などの表布２７とが積層されて構成されている。
【００２８】
表布２７は裏布の下縁よりも下側に突出し、裏布２６の表面にオーバーラップするように配置されている。
【００２９】
例えば第２パーツ片２２において、裏布２６の内面側、すなわち着用者の体に接する面に、幅広の第１伸縮テープ４１が配置されている。伸縮テープ４１は、上縁４１ａ及び下縁４１ｂを含む全体が、表布２７の裏側に隠れている。第１伸縮テープ４１の幅は１５ｍｍ以上３５ｍｍ以下に構成され、好ましくは１７ｍｍ以上２５ｍｍ以下で構成されている。伸縮テープ４１の荷重０．２５ｋｇｆ付加時の伸長率は、例えば３０％以上５５％以下であることが望ましい。第１伸縮テープ４１は後述するテープ材４４よりも幅広に構成される。また、第１伸縮テープ４１は、テープ材４４や、後述する比較例としてのテープＡ，テープＢよりも、小さい力で伸びやすい構成とした。
【００３０】
第１伸縮テープ４１は、その下縁４１ｂが、裏布２６の下縁と同等の位置に配置されている。したがって、伸縮テープ４１の表側は、伸縮テープ４１よりも下方に至る表布２７によって覆われている。このため、外側から見たとき、伸縮テープ４１の下縁４１ｂは、表布２７の裏側に隠れている。第１伸縮テープ４１は、その長手方向の一端４１ｃがベース部１２の外側縁に、例えば縫合されることで接合され、他端４１ｄがバック連結部２３ａ，２３ｂの端縁部に例えば縫合により、接合される。
【００３１】
第１伸縮テープ４１は、その上辺である上端縁４１ａに沿って、第２パーツ片２２に縫着されている。一方、第１伸縮テープ４１の下縁４１ｂは、縫着されておらず、自由端となっている。このため、第１伸縮テープ４１の下縁はベルト２０から遊離して伸縮することが可能になっている。本実施形態においては２０ｍｍ幅の伸縮テープ４１を用い、第１伸縮テープ４１は、例えば伸縮テープ４１の幅方向における中央よりも上側の上部、好ましくは幅寸法の１／５よりも上側の位置、さらに好ましくはその上縁において、ベルト２０の第２のパーツ片２２に、例えば縫合により接合される。
【００３２】
ここで、本実施形態にかかる２０ｍｍ幅の第１伸縮テープ４１と、比較例として一般的にブラジャーの背部に用いられる１２ｍｍ幅のテープＡ及び１６ｍｍ幅のテープＢについて、引っ張り試験を行った際の各テープの伸張率を表１に示す。また、図５には、各テープの引っ張り試験における試験力とストロークの関係を記録したグラフを示す。
【００３３】
【表１】
2017186697.tif 000003
【００３４】
表１において、伸長率は、例えば株式会社島津製作所製オートグラフＡＧ−５００ＮＧを用いて、長さ１５ｃｍの試験テープをつかみ間隔１０ｃｍとして試験機にセットし、３００ｍｍ／ｍｉｎの速度で、引っ張り方向に荷重０．２５ｋｇｆを付加した時のストローク（ｍｍ）を測定し、ストロークから伸長率を求めた。
伸長率（％）は、元の長さをＬ０、荷重付加時の長さをＬ１とした場合に、（（Ｌ１−Ｌ０）／Ｌ０）×１００で算出される。
荷重２．４５２Ｎ（０．２５ｋｇｆ）付加時の伸長率は以下の通りである。
テープＡ（１２ｍｍ幅）：  ２１．２％
テープＢ（１６ｍｍ幅）：  ２４．９％
第１伸縮テープ４１（２０ｍｍ幅）：  ４０．８％
以上より、第１伸縮テープ４１が小さい力で伸びやすいことを示す通り、本実施形態における第１伸縮テープ４１の荷重０．２５ｋｇｆ付加時の伸長率が、例えば３０％以上５５％以下であることが望ましく、小さい力でも伸びやすいことは、図５に示した通りである。
【００３５】
第３サポート部３０Ａは、一対のショルダーストラップ３１を備える。ショルダーストラップ３１は、可撓性の帯状に構成されている。ショルダーストラップ３１は、その一端が一対のカップ部１１の上端に連結されて上方に延び、肩部１０４上を通って背中１０３に回り、その他端が背中１０３においてショルダー連結具２５を介してベルト２０に連結されている。ショルダーストラップ３１にはストラップ長さを調節する調整機構が設けられている。
【００３６】
ブラジャー１において、ベース部１２の下縁及びセンター部１０ａに沿って、伸縮性を有するテープ材４４が縫着されている。テープ材４４は例えば１０ｍｍ〜１３ｍｍ程度の幅を有する細いテープである。テープ材４４は一対のベース部１２の下縁部部分および各ベース部１２の外側縁部分に縫着されている。テープ材４４はその上下縁がその全長にわたって各ベース部１２にジグザグ状に縫着されている。
【００３７】
また、ショルダー連結具２５からバック連結具２３ａ，２３ｂに至る第２外側傾斜辺２２ｄ、及びベルト２０の上辺のショルダー連結具２５の近傍であって、背部上辺に沿って、テープ材４４が例えば縫合により接合され、端処理されている。また、カップ部１１の下カップ縁１１ａ及び外カップ縁１１ｃにもそれぞれテープ材４４が例えば縫合により接合され、テープ加工により端処理されている。
【００３８】
一方で、ベルト２０の上縁を構成する第１パーツ片２１の第１上辺２１ｃは折り返し仕様であって、全長の大部分において縫合やテープ加工による端処理がされていない。本実施形態においては第１上辺２１ｃの端部に連続するショルダー連結部近傍の一部を除く大部分が、縫合やテープによる端処理がされていない。
【００３９】
本実施形態にかかるブラジャー１は以下のような効果を奏する。すなわち、太幅の伸縮テープ４１を背部の下縁に配することで背部下辺の安定を図ると共に、伸縮テープ４１が太幅のため圧が分散されて食い込みを防ぎボディラインに段差が生じにくい。また、太幅の伸縮テープ４１はテープの上辺と両端で背部であるベルト２０に縫着されることで一層背部を安定させることが出来る。また、伸縮テープ４１の下辺がベルト２０から遊離することで、下縁の伸びを制限することなく適度な伸縮を実現できる。
【００４０】
例えば一般的な細幅テープは圧が集中して肌に食い込み易く段差が生じる。また、ヘム生地は一枚仕立てが可能でフラットであり、肌あたりが良いが、ずれ上がり易い。一方で、背部下縁は背部のずり上がりを防ぐと共にバストの重量を支持し寄せ上げるため、一定の保持力が必要である。これに対して、ブラジャー１によれば、背部の下縁に細幅のテープを縫合する構成と比べて段差が生じにくく、また一枚仕立ての構成と比べて高い安定性が確保できる。また、ブラジャー１において、伸縮テープ４１の下縁を含む表側に表布２７を縫着させずに覆いかぶせることで、食い込みが生じた場合であっても、効果的に段差を隠すことが可能となる。
【００４１】
また、伸縮テープ４１の幅を１５ｍｍ以上３５ｍｍ以下とし、好ましくは１７ｍｍ以上２５ｍｍ以下で構成することにより、着用時にかかる圧を分散させることと、着け心地の良さを両立できる。すなわち、テープの幅が上記範囲より小さいと圧が集中し食い込みの原因となり、上記範囲より大きく幅が広すぎると緊締力が強くなりすぎてしまい肌への負担が大きくなってしまうが、上記範囲内で構成することで、これらを回避できる。且つ、伸縮テープ４１は、小さい力でも伸びやすいことから、肌に負担が少なく、食い込みが生じにくい。
【００４２】
一般に、バスト脇部は肉質が柔らかく食い込み易くなることでボリュームが盛り上がり外衣に段差が生じやすいが、ブラジャー１において伸縮性に優れた第１パーツ片２１を脇部に配することでボリュームに応じて第１パーツ片２１が伸びる。また、上辺が折返し仕様のため段差が生じないので外衣に段差が生じずすっきりと着こなせる。また第１パーツ片２１の上辺はテープ等により一部に集中的に圧が加わることがないため、締め付けられず肌あたりがやさしい。
また第１パーツ片２１の形状がカップ側で幅広で背部に向かって幅狭となることで、背部にかかる範囲でもっとも段差が出やすい箇所で力が分散するように幅広く抑え、一定の保持力により安定させたい背中中央寄り部で第２パーツ片の面積が広くなることで、背部全体を保持することが出来る。
【００４３】
また、ストラップ連結部２５の近傍にテープ材４４を配すことで、上辺背部中央寄り部に直接掛かるストラップ３１による引っ張り力に耐えうる強度を確保し、背部の安定を効果的に実現できる。
【００４４】
なお、本発明は上記各実施形態そのままに限定されるものではなく、実施段階ではその要旨を逸脱しない範囲で構成要素を変形して具体化できる。
【００４５】
例えば上記実施形態において、伸縮テープ４１は、下辺の全長においてベルト２０から遊離している例を示したが、必ずしもこれに限られるものではない。例えば中央の１点がベルト２０に縫合され、あるいは中途部において数カ所が縫合されていてもよい。この場合でも、例えば、遊離した部位が大部分、すなわち例えば伸縮テープ４１の長さの９０％以上とすることで、伸縮テープ４１の伸縮性を確保し、段差を生じることを回避することが可能となる。
【００４６】
また、例えばベルト２０の伸縮性をより重視する場合などには、ショルダー連結部２５の近傍や連結ラインＳ１、その他の各部おけるテープ材４４による端処理を適宜省略できる。
【００４７】
例えば上記実施形態においては第１パーツ片２１と第２パーツ片２２とでベルト２０を構成したが、１つのパーツでベルト２０の全体を構成してもよい。あるいはさらに別のパーツを備えてもよく、第１パーツ片２１と第２パーツ片２２とは別のパーツを介して接続されていてもよい。
【００４８】
また、ベルト２０の表布２７として装飾的な伸縮レースを用いたが、これに限定されるものではない。たとえばレース以外の生地としてもよいし、装飾性のあるモチーフを配しても良い。また、ヘム生地や縁始末不要生地などでベルト２０を構成してもよい。
【００４９】
また、上記実施形態においてベルト２０は補強のために表布２７と裏布２６の二重構造となし、そのさらに肌側下縁に太幅の伸縮テープ４１、連結ラインＳ１に細幅のテープ材が重ねられる構成を例示したが、これに限られるものではない。例えば背部は二重構造に限定されるものではなく、一枚で構成してもよい。例えば裏布２６を省略して、レース生地である表布２７に直接伸縮テープを縫着してもよい。
【００５０】
例えば上記実施形態ではブラジャー１に適用した例を示したが、これに限られるものではなく他の形態のブラジャーはもちろん、スリップ、タンクトップ、シャツ、ワンピース、水着などバストに着用する種々の衣類に用いることができる。また、カップ下縁部に金属ワイヤーに代わる保形部材が配されてもよく、ノンワイヤーとしてもよい。
【００５１】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００５２】
１…ブラジャー、１０Ａ…第１サポート部、１０ａ…センター部、１１…カップ部、１２…ベース部、２０…ベルト、２０Ａ…第２サポート部、２０ａ…下縁、２０ｂ…バック連結部、２０ｃ…ショルダー連結部、２１…第１パーツ片、２２…第２パーツ片、２６…裏布、２７…表布、３０Ａ…第３サポート部、３１…ショルダーストラップ、４１…伸縮テープ、４１ａ…上端縁、４１ｂ…下縁、４４…テープ材、１００…着用者、１０１…胸部、１０２…側部、１０３…背中、Ｓ１…連結ライン。
【図１】
2017186697.tif 000004
【図２】
2017186697.tif 000005
【図３】
2017186697.tif 000006
【図４】
2017186697.tif 000007
【図５】
2017186697.tif 000008